(57)【要約】【課題】表示装置の固定手段において、さらなる狭額縁化を実現した表示装置を得ることを目的としている。【解決手段】本発明における表示装置は、底面と側面を有し、側面には外側へ突き出た雌ネジ部が形成されたリアフレーム３と、リアフレーム３内に配置され、光源２からの光を面状に出射する面状導光板５と、面状導光板５と対向し、面状導光板５からの出射光を制御することによって画像の表示を行う表示パネル１と、表示パネル１と対向する開口枠を有し、側面には嵌合部１１aが開口されて、嵌合部１１aに雌ネジ部が嵌合されるフロントフレーム１１とを備え、嵌合部１１aに嵌合した雌ネジ部を外部筐体２０との固定手段として使用する。【選択図】図２
2008216934.tif 000002
【特許請求の範囲】
【請求項１】
底面と側面を有し、前記側面には外側へ突き出た雌ネジ部が形成されたリアフレームと、
前記リアフレーム内に配置され、光源からの光を面状に出射する面状導光板と、
前記面状導光板と対向し、前記面状導光板からの出射光を制御することによって画像の表示を行う表示パネルと、
前記表示パネルと対向する開口枠を有し、側面には嵌合部が開口されて、前記嵌合部に前記雌ネジ部が嵌合されるフロントフレームと、を備え、
前記嵌合部に嵌合した前記雌ネジ部を外部筐体との固定手段として使用する表示装置。
【請求項２】
前記表示パネルは前記リアフレームに支持される請求項１記載の表示装置。
【請求項３】
前記リアフレーム上の内側に設置され、前記面状導光板を包囲するミドルフレームを備え、
前記表示パネルは前記ミドルフレームに支持される請求項１記載の表示装置。
【請求項４】
前記雌ネジ部は、前記リアフレームに一体形成されたバーリングである請求項１から３のいずれかに記載の表示装置。
【請求項５】
前記雌ネジ部は、前記リアフレームに接続されたナットである請求項１から３のいずれかに記載の表示装置。
【請求項６】
前記リアフレームはプラスチックであり、
前記雌ネジ部は、前記リアフレームに設けられた凸形状である請求項１から３のいずれかに記載の表示装置。
【請求項７】
前記嵌合部は、引っ掛け形状である請求項１から６のいずれかに記載の表示装置。
【請求項８】
前記嵌合部は、切り欠き形状である請求項１から６のいずれかに記載の表示装置。
【請求項９】
底面と側面を有するリアフレームと、
前記リアフレーム内に配置され、光源からの光を面状に出射する面状導光板と、
前記リアフレームの内側に設置され前記面状導光板を包囲し、側面に外側へ突き出た雌ネジ部を有するミドルフレームと、
前記面状導光板と対向し前記ミドルフレームによって支持され、前記面状導光板の出射光を制御することによって画像の表示を行う表示パネルと、
前記表示パネルと対向する開口枠を有し、側面には嵌合部が開口されて、前記嵌合部に前記雌ネジ部が嵌合されるフロントフレームと、
前記嵌合部に嵌合した前記雌ネジ部を外部筐体との固定手段として使用する表示装置。
【請求項１０】
前記雌ネジ部は、前記ミドルフレームに一体形成されたバーリングである請求項９記載の表示装置。
【請求項１１】
前記雌ネジ部は、前記ミドルフレームに接続されたナットである請求項９記載の表示装置。
【請求項１２】
前記ミドルフレームはプラスチックであり、
前記雌ネジ部は、前記ミドルフレームに設けられた凸形状である請求項９記載の表示装置。
【請求項１３】
前記嵌合部は、引っ掛け形状である請求項９から１２のいずれか記載の表示装置。
【請求項１４】
前記嵌合部は、切り欠き形状である請求項９から１２のいずれか記載の表示装置。
【発明の詳細な説明】
【技術分野】
【０００１】
本発明は、表示装置の固定手段に関するものである。
【背景技術】
【０００２】
近年、表示パネルとして液晶表示パネルを用いる液晶表示装置（Liquid Crystal Display：LCD）は、その軽量性、薄型性などの利点により、各種用途に広く使用されている。
【０００３】
液晶表示パネルは、配線および電極が形成されたガラス基板と対向基板が平行に配置され、両基板間に液晶が狭持されている。この液晶表示パネルの両面側には偏光板がそれぞれ貼り付けられている。液晶表示パネルの表示領域は、多数の画素から構成され、この各画素に表示画像に応じた信号が印加され、画像が表示される。この表示画像は、液晶パネルの背面に設定されたバックライトにより光が照射され、表示画像が観察者に視認される。
【０００４】
このように、液晶表示装置は、画素ごとに光の透過率を制御する液晶表示パネルとバックライトにより構成される、いわゆる受光型の表示装置であり、この特性を利用した種々の用途に使用される。例えば、パソコン用のディスプレイや、産業用途に使用される装置類の表示装置として使用される。
【０００５】
しかしながら、液晶表示装置には意匠性向上のため、表示領域以外の額縁部分を極力縮小する狭額縁化が求められている。狭額縁化を実現するために筐体との固定のためのネジを液晶表示装置の側面に設ける固定手段がある。
【０００６】
下記特許文献１に固定手段を用いた液晶表示装置の一例が記載されている。
【０００７】
【特許文献１】特開２００４−２３３８４９号公報
【発明の開示】
【発明が解決しようとする課題】
【０００８】
従来の液晶表示装置の一例に、リアフレームにネジ部を設ける構造がある。しかしながら、リアフレームの側面からバックライトの内側へ凸となるようにネジ部を設けるため、側面から挿入するネジの長さを回避するためのスペースを液晶表示装置内に設ける必要があり、狭額縁化の妨げとなっていた。
【０００９】
また、従来のネジを側面に設ける固定手段の液晶表示装置の他の例に、フロントフレームにネジ部を設ける構造がある。フロントフレームの側面からバックライト側に凸となるようにネジ部を設けることで、ネジ部がモジュール外形に近接し、スペースを縮小することが可能であるが、この場合、収納したバックライトの固定が不足しており、十分な強度を確保できないという問題があった。
【００１０】
そこで本発明はかかる問題を解決するためになされたものであり、表示装置の固定手段においてさらなる狭額縁化を実現した液晶表示装置を得ることを目的としている。
【課題を解決するための手段】
【００１１】
本発明における表示装置は、底面と側面を有し、前記側面には外側へ突き出た雌ネジ部が形成されたリアフレームと、前記リアフレーム内に配置され、光源からの光を面状に出射する面状導光板と、前記面状導光板と対向し、前記面状導光板からの出射光を制御することによって画像の表示を行う表示パネルと、前記表示パネルと対向する開口枠を有し、側面には嵌合部が開口されて、前記嵌合部に前記雌ネジ部が嵌合されるフロントフレームとを備え、前記嵌合部に嵌合した前記雌ネジ部を外部筐体との固定手段として使用する。
【発明の効果】
【００１２】
本発明では、外部筐体との固定手段として使用するネジ部をリアフレームの側面からバックライトの外側へ突き出た構成とする。これにより、ネジ部がモジュール外形へ近接した構成となって、従来より短いネジでの固定を行うことが可能となり、結果として狭額縁化を達成することができる。
【発明を実施するための最良の形態】
【００１３】
［実施の形態１］
図１は、本発明の実施の形態１における液晶表示装置の概略構成を示す分解斜視図である。以下構成について説明する。
【００１４】
液晶表示装置は、光源２と面状導光板５とを有するバックライト１０と、バックライト１０の表側に配置されバックライト１０からの光の透過率を制御する液晶表示パネル１と、バックライト１０と液晶表示パネル１を収納し、側面に嵌合部１１aが開口されたフロントフレーム１１とからなる。
【００１５】
液晶表示パネル１は、上側基板１aまたは下側基板１b上に形成する着色層、遮光層、スイッチング素子となる薄膜トランジスタ（以下TFTと記載）、画素電極等の電極および配線が形成されたTFTアレイ基板および対向基板を備えている。また、二枚の基板を等間隔に保持するスペーサ、二枚の基板を張り合わせるシール剤、二枚の基板との間に液晶を注入した後に封止する封止材、液晶に初期配向をもたせる配向膜、バックライトからの光に対して特定の偏光成分のみを透過させる機能を有する偏光板１c，１d、などにより構成されている。
【００１６】
面状導光板５は、光学シート６および反射板４を備え、入射面５aが光源２と向き合うように配置されている。入射面５aと略直交するように出射面５bが設けられ、出射面５bと対向する反出射面５cには光の伝搬方向を乱すための印刷ドットパターン５dが形成されている。面状導光板５は、アクリルやポリカーボネイトやガラスなどの透明体で構成されている。反出射面５cに設けた印刷ドットパターン５dの代わりに、出射面５bまたは反出射面５cを粗面としてもよいし、微少な球面やプリズムなど光の伝搬方向を変化させる凹凸で構成してもよい。
【００１７】
光学シート６は、面状導光板５の出射面５bに近接して設けられた拡散シートで、複数枚のシートで構成されていてもよい。光学シート６にはプリズムシートを用いてもよいが、光学シートは必須ではない。反射板４は、面状導光板５の入射面５aおよび出射面５bを除く面に近接して設けられ、反射率９０％以上の拡散反射材を用いている。反射板４は、銀蒸着シートなど正反射させるものでもよい。
【００１８】
次に、光源２およびリフレクタ８などからなる光源ユニット９について説明する。光源２は、リフレクタ８に覆われており、光源２はランプを用いている。光源２はLED等の点光源を並べたものでもよい。リフレクタ８は、光源２からの光を反射し入射面５aに入光させる機能を有しており、反射率９０％以上の拡散反射材を金属板と張り合わせた材料を用いている。リフレクタ８は、銀蒸着シートなどの正反射させるものや偏光反射させるものを貼り付けたものでもよく、塗装や鏡面加工した材料でもよい。
【００１９】
図２は、図１に示す本実施の形態１における液晶表示装置の固定部の構造を示した断面図である。液晶表示装置は、面状導光板５の上に液晶表示パネル１０を支持するミドルフレーム７、固定用のネジ穴を有する金属製のリアフレーム３を備え、ネジ穴は、リアフレーム３の側面３aから導光板５の外側へ凸となるネジ突起部１３を備えている。
【００２０】
ネジ突起部１３は、リアフレーム３と一体形成され、側面３aより外側に突出して設けられるバーリング形状１３であり、バーリング形状１３内部に固定に使用するネジ部１２が形成されている。バーリング形状からなるネジ突起部１３は、フロントフレーム１１に形成された嵌合部１１aと嵌合することで、バックライト１０とフロントフレーム１１を位置決めする。さらにこのネジ部１２にネジ１９を嵌合させ、外部筐体２０との固定手段として使用している。液晶表示パネル１は、ミドルフレーム７によって支持されており、ミドルフレーム７がリアフレーム３とフロントフレーム１１により固定されることにより、液晶表示パネル１も固定される。
【００２１】
ここで、図１０〜１２は従来の固定構造を用いた液晶表示装置の部分断面図である。図１０，１１の液晶表示装置は、リアフレーム３の側面３aからバックライト方向へ突出するようにネジ部１２が形成されており、ネジ１９の長さを回避するスペース１８が液晶表示装置内に設けられている。図１２の液晶表示装置は、フロントフレームの側面からバックライト方向へ突出するようにネジ部１２を形成して、このネジ部１２と外部筐体２０とを固定している。
【００２２】
このように、従来であれば金属製のリアフレーム３のバーリング形状１３およびモジュール固定の際に挿入されるネジを回避するためのスペース１８がミドルフレーム７に設けられるのに対し、本発明ではバーリング形状１３を外側方向へ突出することにより、ネジ部１２をモジュール外側へ近接して設けることが可能となり、ミドルフレーム７のスペースを縮小もしくは無くした、より狭額縁な液晶表示装置を得ることができる。このバーリング形状１３とフロントフレーム１１を嵌合させることにより、他の位置決め構造を設けることなくネジ部１２とフロントフレーム１１との位置決めを図れる。
【００２３】
なお、図２においてはフロントフレーム１１の嵌合部１１aがバーリング形状１３に一部当接することで指示される引っ掛け形状としているが、図３のネジ部側面図に示すような切り欠き形状１１bとして、パネル平面方向のみの位置決めとしてもよい。
【００２４】
［実施の形態２］
図４は実施の形態２における液晶表示装置の部分断面図であり、実施の形態1と異なる点について説明する。本実施の形態の液晶表示装置は、面状導光板５の上に液晶表示パネル１を支持するミドルフレーム７、固定用のネジ穴を有する金属製のリアフレーム３を備え、ネジ穴は、リアフレーム３の側面３aから面状導光板５の外側へ凸となるネジ突起部１４aを備えている。
【００２５】
ネジ突起部１４aは、リアフレーム側面３aへ接合されたナット１４であり、ナット１４内部に固定に使用するネジ部１２aが形成されている。ナット１４からなるネジ突起部１４aは、フロントフレーム１１に形成された嵌合部１１aと嵌合することでバックライト１０とフロントフレーム１１を位置決めする。その他の構成は実施の形態１と同様のため、説明を省略する。
【００２６】
以上の構成から、ナット１４を使用することにより、ネジ部１２aおよびネジ突起部１４aをリアフレーム３と異なる材質や厚さにすることが可能となり、ネジ部１２aおよびネジ突起部１４aの耐衝撃強度向上を可能とする。
【００２７】
［実施の形態３］
図５は実施の形態３における液晶表示装置の部分断面図であり、実施の形態１と異なる点について説明する。本実施の形態の液晶表示装置は、面状導光板５の上に液晶表示パネル１を支持し、固定用のネジ穴を有するプラスチック製のリアフレーム３を備え、ネジ穴は、リアフレーム３の側面から面状導光板５の外側へ凸となるネジ突起部１５aを備えている。
【００２８】
ネジ突起部１５aは、リアフレーム側面３aへ接合されたナット１５であり、ナット１５の内部に固定に使用するネジ部１２bが形成されている。ナット１５からなるネジ突起部１５aは、フロントフレーム１１に形成された嵌合部１１aと嵌合することでバックライト１０とフロントフレーム１１を位置決めする。液晶表示パネル１は、リアフレーム７によって支持されており、リアフレーム３とフロントフレーム１１が固定されることにより、液晶表示パネル１も固定される。その他の構成は実施の形態１と同様のため、説明を省略する。
【００２９】
以上の構成から、プラスチック製のリアフレーム３へナット１５を接合することにより、金属製のリアフレームへの接合に比べ、ナット１５のネジ部１２bを拡大することが可能となり、ネジ部１２bの耐衝撃強度向上を可能とする。
【００３０】
［実施の形態４］
図６は実施の形態４における液晶表示装置の部分断面図であり、実施の形態１と異なる点について説明する。本実施の形態の液晶表示装置は、面状導光板５の上に液晶表示パネル１を支持し、固定用のネジ穴を有するプラスチック製のリアフレーム３を備え、ネジ穴は、リアフレーム３の側面から面状導光板５の外側へ凸となるネジ突起部１６を備えている。
【００３１】
ネジ突起部１６は、面状導光板５外側方向へ突出したリアフレーム３であり、リアフレーム側面３aへ接合されたナット１５内部に固定に使用するネジ部１２cが形成されている。リアフレームからなるネジ突起部１６は、フロントフレーム１１に形成された嵌合部１１aと嵌合することでバックライト１０とフロントフレーム１１を位置決めする。その他の構成は実施の形態1と同様のため、説明を省略する。
【００３２】
以上の構成から、フロントフレーム１１と嵌合するネジ突起部１６の形状を任意に形成可能となり、フロントフレーム１１との嵌合を容易に行うことができる。
【００３３】
［実施の形態５］
図７は実施の形態５における液晶表示装置の部分断面図であり、実施の形態1と異なる点について説明する。本実施の形態の液晶表示装置は、面状導光板５の上に液晶表示パネル１を支持し、固定用のネジ穴１６aを有するプラスチック製のリアフレーム３を備え、ネジ穴１６aは、リアフレーム３の側面から面状導光板５の外側へ凸となるネジ突起部１７を備えている。
【００３４】
ネジ突起部１７は、面状導光板５外側方向へ突出したリアフレーム３であり、リアフレーム３が有するネジ穴１６aは、固定に使用するタッピングネジ用下穴となる。リアフレームからなるネジ突起部１７は、フロントフレーム１１に形成された嵌合部１１aと嵌合することでバックライト１０とフロントフレーム１１を位置決めする。その他の構成は実施の形態1と同様のため、説明を省略する。
【００３５】
以上の構成から、フロントフレーム１１と嵌合するネジ突起部１７の形状を任意に形成可能となり、フロントフレーム１１との嵌合を容易に行うことができる。また、ナット等の部材を使用することなく安価な液晶表示装置を提供できる。
【００３６】
［実施の形態６］
図８は実施の形態６における液晶表示装置の部分断面図であり、実施の形態１と異なる点について説明する。本実施の形態の液晶表示装置は、面状導光板５の上に液晶表示パネル１を支持し、固定用のネジ穴を有するプラスチック製のミドルフレーム７を備え、ネジ穴は、ミドルフレーム７の側面から面状導光板５の外側へ凸となるネジ突起部１５aを備えている。
【００３７】
ネジ突起部１５aは、ミドルフレーム側面７aへ接合されたナット１５であり、ナット１５の内部に固定に使用するネジ部１２dが形成されている。ナット１５からなるネジ突起部１５aは、フロントフレーム１１に形成された嵌合部１１aを嵌合することでバックライト１０とフロントフレーム１１を位置決めする。その他の構成は実施の形態と同様のため、説明を省略する。
【００３８】
以上の構成から、ミドルフレーム７へナット１５を接合することにより金属製のリアフレーム３への接合に比べ、ナット１５のネジ部１２dを拡大することが可能であり、ネジ部１２dの耐衝撃強度向上を可能とする。
【００３９】
［実施の形態７］
図９は実施の形態７における液晶表示装置の部分断面図であり、実施の形態1と異なる点について説明する。本実施の形態の液晶表示装置は、面状導光板５の上に液晶表示パネル１を支持し、固定用のネジ穴を有するプラスチック製のミドルフレーム７を備え、ネジ穴は、リアフレーム３の側面から面状導光板５の外側へ凸となるネジ突起部１７を備えている。
【００４０】
ネジ突起部１７は、面状導光板５外側へ突出したミドルフレーム７であり、ミドルフレーム７が有するネジ穴は、固定に使用するタッピングネジ用下穴となる。ミドルフレームからなるネジ突起部１７は、フロントフレーム１１に形成された嵌合部１１aと嵌合することでバックライト１０とフロントフレーム１１を位置決めする。その他の構成は実施の形態１と同様のため、説明を省略する。
【００４１】
以上の構成から、フロントフレーム１１と嵌合するネジ突起部１７の形状を任意に形成可能となり、フロントフレーム１１との嵌合を容易に行うことができる。また、ナット等の別部材を使用することなく安価な液晶表示装置を提供できる。ネジ突起部１７を図２に示すようなミドルフレームに一体形成されたバーリング形状にすることで、同様の効果を得ることができる。
【００４２】
なお、実施の形態２〜７において、実施の形態1と同様に嵌合部１１aを図３に示すような切り欠き形状として、パネル平面方向のみの位置決めを可能とする。
【図面の簡単な説明】
【００４３】
【図１】本発明の実施の形態１における液晶表示装置の概略構成を示す分解斜視図である。
【図２】本発明の実施の形態１における液晶表示装置の固定部構造を示した断面図である。
【図３】図２に示す液晶表示装置のフロントフレーム嵌合部を示した側面図である。
【図４】本発明の実施の形態２における液晶表示装置の固定部構造を示した断面図である。
【図５】本発明の実施の形態３における液晶表示装置の固定部構造を示した断面図である。
【図６】本発明の実施の形態４における液晶表示装置の固定部構造を示した断面図である。
【図７】本発明の実施の形態５における液晶表示装置の固定部構造を示した断面図である。
【図８】本発明の実施の形態６における液晶表示装置の固定部構造を示した断面図である。
【図９】本発明の実施の形態７における液晶表示装置の固定部構造を示した断面図である。
【図１０】従来の液晶表示装置の固定部構造を示した断面図である。
【図１１】従来の液晶表示装置の固定部構造を示した断面図である。
【図１２】従来の液晶表示装置の固定部構造を示した断面図である。
【符号の説明】
【００４４】
１  液晶表示パネル、１a  上側基板、１b  下側基板、１c，１d  偏光板、２  光源、３  リアフレーム、３a  リアフレーム側面、４  反射板、５  面状導光板、５a  入射面、５b  出射面、５c  反出射面、５d  印刷ドットパターン、６  光源シート、７  ミドルフレーム、７a  ミドルフレーム側面、８  リフレクタ、９  光源ユニット、１０  バックライト、１１  フロントフレーム、１１a  嵌合部、１１b  切り欠き形状、１２，１２b，１２c，１２d  ネジ部、１４  ナット、１３，１４a，１５a，１６，１７  ネジ突起部、１５  ナット、１６a  ネジ穴、１８  スペース、１９  ネジ、２０  外部筐体。
【図１】
2008216934.tif 000003
【図２】
2008216934.tif 000004
【図３】
2008216934.tif 000005
【図４】
2008216934.tif 000006
【図５】
2008216934.tif 000007
【図６】
2008216934.tif 000008
【図７】
2008216934.tif 000009
【図８】
2008216934.tif 000010
【図９】
2008216934.tif 000011
【図１０】
2008216934.tif 000012
【図１１】
2008216934.tif 000013
【図１２】
2008216934.tif 000014